(57)【特許請求の範囲】
【請求項１】
開口枠に障子がスライド移動可能に設けられた既設窓の室内側の額縁部材に載置することで、既設窓の室内側において開口枠に障子がスライド移動可能に設けられた新設窓の取付可否を判別するゲージであって、
前記新設窓の障子に設けられたクレセント錠を含む新設窓の横断面図の一部であって該クレセント錠を通過する見込み方向の寸法を構成する要素が原寸大で描かれた判別用横断面図が上面に設けられた平板状の基部と、
前記基部に連続しつつ上下方向に沿って延在し、かつ前記新設窓の開口枠を構成する下枠を含む新設窓の縦断面図の一部であって該下枠を通過する見込み方向の寸法を構成する要素が原寸大で描かれた判別用縦断面図が一方の側面に設けられた平板状の上下延在部と、
室内外方向に沿って進退移動可能に設けられ、かつ前記既設窓を構成する障子のパネル材との間の離間距離を測定するための測定部材と
を備えたことを特徴とする窓取付用ゲージ。
【請求項２】
前記上下延在部は、前記基部の一方の端部より下方に向けて延在し、かつ外面に前記判別用縦断面図が設けられた第１垂下部と、前記基部の他方の端部より下方に向けて延在する第２垂下部とを有することで、基部、第１垂下部及び第２垂下部を含む縦断面形状がコ字状を成すことを特徴とする請求項１に記載の窓取付用ゲージ。
【請求項３】
前記第２垂下部の外面には、前記新設窓の縦断面図の一部であって前記クレセント錠を通過する見込み方向の寸法を構成する要素が原寸大で描かれた他の判別用縦断面図が設けられていることを特徴とする請求項２に記載の窓取付用ゲージ。
【請求項４】
前記判別用横断面図及び前記判別用縦断面図は、折り線を介して互いに連続するよう１枚の紙に描かれたものであり、前記折り線に沿って折り曲げてそれぞれ前記基部の上面及び前記上下延在部の外面に貼付されたことを特徴とする請求項１に記載の窓取付用ゲージ。
【請求項５】
前記測定部材は、目盛りが設けられていることを特徴とする請求項１〜４のいずれか１つに記載の窓取付用ゲージ。
【発明の詳細な説明】
【技術分野】
【０００１】
本発明は、窓取付用ゲージに関し、より詳細には、開口枠に障子がスライド移動可能に設けられた既設窓の室内側の額縁部材に載置することで、既設窓の室内側において開口枠に障子がスライド移動可能に設けられた新設窓の取付可否を判別するゲージに関するものである。
【背景技術】
【０００２】
従来、建物の開口に設置される開口枠と、この開口枠に対してスライド移動可能に設けられた障子とを備えた建具である既設の窓を外窓として、その室内側に同様の構成を有する新設の窓を内窓として取り付ける改装作業が行われている。このような改装作業は、遮音性や断熱性の向上を図ることができる等の利点がある。
【０００３】
ところで、このような改装作業では、既設窓（外窓）の室内側の額縁部材に新設窓（内窓）を取り付ける必要があるため、該額縁部材に新設窓を取り付けることが可能であるか否かについて判別する必要がある。
【０００４】
かかる判別は、既設窓との干渉を考慮した種々の寸法を測定し、その測定結果を予め用意された条件式等に当てはめて計算することで行われており、作業者に熟練した測定技術等が必要とされていた。そのため非熟練の作業者にとっては、新設窓の取付可否の判別は煩雑なだけでなく困難なものであった。
【０００５】
上述した新設窓を取り付ける改装作業とは異なるが、既設窓枠に新設窓枠を被覆設置する改装作業において、非熟練の作業者にも既設窓枠における断面形状の把握を容易なものとするべく、平板状のゲージプレートを用いて測定することが提案されている（例えば、特許文献１参照）。
【先行技術文献】
【特許文献】
【０００６】
【特許文献１】特許第４８０８６６３号公報
【発明の概要】
【発明が解決しようとする課題】
【０００７】
しかしながら、上述した特許文献１に提案されているようなゲージプレートは平板状のものであるため、かかるゲージプレートを新設窓の取付可否の判別に用いようとしても、ゲージプレートを作業者が保持しながら該ゲージプレートの姿勢を変えて新設窓の取付状態を想像しながら行う必要があり、依然として新設窓の取付可否の判別を行うことは困難であった。
【０００８】
本発明は、上記実情に鑑みて、既設窓の室内側において新設窓の取付可否を容易に判別することができる窓取付用ゲージを提供することを目的とする。
【課題を解決するための手段】
【０００９】
上記目的を達成するために、本発明に係る窓取付用ゲージは、開口枠に障子がスライド移動可能に設けられた既設窓の室内側の額縁部材に載置することで、既設窓の室内側において開口枠に障子がスライド移動可能に設けられた新設窓の取付可否を判別するゲージであって、前記新設窓の障子に設けられたクレセント錠を含む新設窓の横断面図の一部であって該クレセント錠を通過する見込み方向の寸法を構成する要素が原寸大で描かれた判別用横断面図が上面に設けられた平板状の基部と、前記基部に連続しつつ上下方向に沿って延在し、かつ前記新設窓の開口枠を構成する下枠を含む新設窓の縦断面図の一部であって該下枠を通過する見込み方向の寸法を構成する要素が原寸大で描かれた判別用縦断面図が一方の側面に設けられた平板状の上下延在部と、室内外方向に沿って進退移動可能に設けられ、かつ前記既設窓を構成する障子のパネル材との間の離間距離を測定するための測定部材とを備えたことを特徴とする。
【００１０】
この発明によれば、基部の上面に設けられた判別用横断面図には、新設窓の障子に設けられたクレセント錠を含む新設窓の横断面図の一部であって該クレセント錠を通過する見込み方向の寸法を構成する要素が原寸大で描かれているので、額縁部材に載置した場合に、既設窓に設けられたクレセント錠を回動させることで該クレセント錠との干渉の有無を目視にて確認することができる。また、上記基部に連続しつつ上下方向に沿って延在する上下延在部の一方の側面に設けられた判別用縦断面図には、新設窓の開口枠を構成する下枠を含む新設窓の縦断面図の一部であって該下枠を通過する見込み方向の寸法を構成する要素が原寸大で描かれているので、既設窓のクレセント錠と干渉しない位置に載置させる場合に、額縁部材が新設窓の取付に必要な寸法を有しているかを目視にて確認することができる。さらに、測定部材が室外方向に進出移動して既設窓を構成するパネル材に当接することにより、該パネル材との離間距離を目視にて測定することができ、これにより新設窓を取り付けた場合における既設窓との間の空気層の大きさを確認することができる。このように既設窓の室内側における額縁部材の所定個所に載置した場合に、判別用横断面図を用いて既設窓のクレセント錠との干渉の有無を目視にて確認することができ、判別用縦断面図を用いて該額縁部材が必要寸法を有しているかを目視にて確認することができ、さらに測定部材を用いて既設窓のパネル材との間の空気層の大きさを測定することができるので、従来のように平板状のゲージプレートを用いたり、種々の寸法を測定して条件式に当てはめたりするのに比して判別作業の短縮化を図ることができるとともに作業者の測定技術の熟練度を問わないものとすることができる。
【００１１】
また、本発明は、上述した窓取付用ゲージにおいて、前記上下延在部は、前記基部の一方の端部より下方に向けて延在し、かつ外面に前記判別用縦断面図が設けられた第１垂下部と、前記基部の他方の端部より下方に向けて延在する第２垂下部とを有することで、基部、第１垂下部及び第２垂下部を含む縦断面形状がコ字状を成すことを特徴とする。
【００１２】
この発明によれば、基部の上面に設けられた判別用横断面図には、新設窓の障子に設けられたクレセント錠を含む新設窓の横断面図の一部であって該クレセント錠を通過する見込み方向の寸法を構成する要素が原寸大で描かれているので、額縁部材に載置した場合に、既設窓に設けられたクレセント錠を回動させることで該クレセント錠との干渉の有無を目視にて確認することができる。また、上記基部に連続するとともに該基部の一方の端部より下方に向けて延在する第１垂下部の外面に設けられた判別用縦断面図には、新設窓の開口枠を構成する下枠を含む新設窓の縦断面図の一部であって該下枠を通過する見込み方向の寸法を構成する要素が原寸大で描かれているので、既設窓のクレセント錠と干渉しない位置に載置させる場合に、額縁部材が新設窓の取付に必要な寸法を有しているかを目視にて確認することができる。さらに、測定部材が室外方向に進出移動して既設窓を構成するパネル材に当接することにより、該パネル材との離間距離を測定することができ、これにより新設窓を取り付けた場合における既設窓との間の空気層の大きさを確認することができる。
【００１３】
また、本発明は、上述した窓取付用ゲージにおいて、前記第２垂下部の外面には、前記新設窓の縦断面図の一部であって前記クレセント錠を通過する見込み方向の寸法を構成する要素が原寸大で描かれた他の判別用縦断面図が設けられていることを特徴とする。
【００１４】
この発明によれば、上記基部に連続するとともに該基部の他方の端部より下方に向けて延在する第２垂下部の外面に設けられた他の判別用縦断面図には、新設窓の縦断面図の一部であってクレセント錠を通過する見込み方向の寸法を構成する要素が原寸大で描かれているので、新設窓のクレセント錠と既設窓のクレセント錠との干渉の有無を目視にて確認することができる。
【００１５】
また、本発明は、上述した窓取付用ゲージにおいて、前記判別用横断面図及び前記判別用縦断面図は、折り線を介して互いに連続するよう１枚の紙に描かれたものであり、前記折り線に沿って折り曲げてそれぞれ前記基部の上面及び前記上下延在部の外面に貼付されたことを特徴とする。
【００１６】
この発明によれば、判別用横断面図及び判別用縦断面図が、折り線を介して互いに連続するよう１枚の紙に描かれたものであり、折り線に沿って折り曲げてそれぞれ基部の上面及び上下延在部の外面に貼付されたものであるので、作業現場においても容易に製作することができる。
【００１７】
また、本発明は、上述した窓取付用ゲージにおいて、前記測定部材は、目盛りが設けられていることを特徴とする。
【００１８】
この発明によれば、測定部材には目盛りが設けられているので、測定部材が室外方向に進出移動して既設窓を構成するパネル材に当接することにより、該パネル材との離間距離を目視にて測定することができ、これにより新設窓を取り付けた場合における既設窓との間の空気層の大きさを目視にて確認することができる。
【発明の効果】
【００１９】
本発明によれば、既設窓の室内側において新設窓の取付可否を容易に判別することができるという効果を奏する。
【図面の簡単な説明】
【００２０】
【図１】図１は、本発明の実施の形態である窓取付用ゲージが適用される建具である既設窓を示すものであり、（ａ）は横断面図であり、（ｂ）は縦断面図である。
【図２】図２は、本発明の実施の形態である窓取付用ゲージを示す斜視図である。
【図３】図３は、本発明の実施の形態である窓取付用ゲージを示す平面図である。
【図４】図４は、本発明の実施の形態である窓取付用ゲージを示す右側面図である。
【図５】図５は、本発明の実施の形態である窓取付用ゲージを示す左側面図である。
【図６】図６は、本発明の実施の形態である窓取付用ゲージを示す室内側から見た正面図である。
【図７】図７は、既設窓の室内側の額縁部材に新設窓を取り付けた場合を示すもので、（ａ）は横断面図であり、（ｂ）は縦断面図である。
【図８】図８は、図２等に示した判別用断面図を示すもので、（ａ）は判別用断面図の平面図であり、（ｂ）は判別用断面図の貼付手順を示す説明図である。
【図９】図９は、既設窓の室内側の額縁部材に窓取付用ゲージを載置した場合を示すもので、（ａ）は横断面図であり、（ｂ）は縦断面図である。
【図１０】図１０は、既設窓の室内側の額縁部材に新設窓を取り付けた場合を示す横断面図である。
【発明を実施するための形態】
【００２１】
以下に添付図面を参照して、本発明に係る窓取付用ゲージの好適な実施の形態について詳細に説明する。
【００２２】
図１は、本発明の実施の形態である窓取付用ゲージが適用される建具である既設窓を示すものであり、（ａ）は横断面図であり、（ｂ）は縦断面図である。
【００２３】
ここで例示する既設窓１０は、建物１の開口２に設置されたものであり、開口枠１１と左右２枚の障子１２とを備え、開口枠１１に対して２枚の障子１２を左右方向にスライド移動させて開閉する、いわゆる「引き違い窓」と称されるものである。かかる既設窓１０においては、さらに開口枠１１において室外側に位置する部位に網戸１３を１枚備えたものを例示している。
【００２４】
開口枠１１は、上枠１１ａ、下枠１１ｂ及び左右一対の縦枠１１ｃを四周枠組みすることによって横長に構成した矩形状を成すものである。上枠１１ａ、下枠１１ｂ及び縦枠１１ｃには、それぞれの室外側に位置する縁部に網戸レール１１ｄが設けてある。
【００２５】
２枚の障子１２は、それぞれ上框１２ａ、下框１２ｂ及び左右一対の縦框１２ｃ，１２ｄを四周框組みし、かつこれら上框１２ａ、下框１２ｂ及び縦框１２ｃ，１２ｄの間にガラス板等のパネル材１２ｅを配設することにより構成したものである。これら障子１２は、開口枠１１の内部に左右方向に沿ってスライド移動可能に配設してある。これらの障子１２は、互いに同一の大きさを有し、かつそれぞれの一方の縦框（以下、召合せ框ともいう）１２ｄを重ね合わせて左右に並設した場合に開口枠１１の開口を閉塞することのできる大きさに構成してある。
【００２６】
網戸１３は、障子１２と同様、網戸用上框１３ａ、網戸用下框１３ｂ及び左右一対の網戸用縦框１３ｃを四周框組みすることによって構成した網戸用框の内部に網１３ｄを張って構成したものである。この網戸１３は、網戸レール１１ｄに係合することで開口枠１１の内部において障子１２よりも室外側に位置する部位に左右方向に沿ってスライド移動可能に配設してある。ここで網戸レール１１ｄは、各枠の見込み面から突出したヒレ状部分である。上枠１１ａ及び下枠１１ｂに設けられた網戸レール１１ｄは、網戸１３の網戸用上框１３ａ及び網戸用下框１３ｂの溝に係合することによって網戸１３のスライドを案内するためのものである。縦枠１１ｃに設けられた網戸レール１１ｄは、網戸１３を閉めた際に網戸用縦框１３ｃの溝に係合するものである。
【００２７】
このような既設窓１０の室内側には、建物１の開口２において室内側に位置する四周の見込み面にそれぞれ額縁部材１４が取り付けてある。尚、図１中の符号１５は、室内側の障子１２の召合せ框１２ｄに設けられたクレセント錠である。
【００２８】
図２〜図６は、それぞれ本発明の実施の形態である窓取付用ゲージを示すものであり、図２は斜視図、図３は平面図、図４は右側面図、図５は左側面図、図６は室内側から見た正面図である。ここで例示する窓取付用ゲージ２０は、上記既設窓１０の室内側において該既設窓１０と同様の構成を有する新設窓の取付可否を判別するためのもので、ゲージ本体２１と、判別用断面図２２とを備えて構成してある。
【００２９】
ここでは、まず新設窓について説明する。尚、以下においては上述した既設窓１０の構成要素と区別するため、新設窓の各構成要素に「新設」という接頭語を付してそれぞれを説明する。
【００３０】
図７は、既設窓の室内側の額縁部材に新設窓を取り付けた場合を示すもので、（ａ）は横断面図であり、（ｂ）は縦断面図である。この図７に示すように、新設窓３０は、既設窓１０と大きさは異なるが、同様の構成を有するものであり、額縁部材１４に設置された新設開口枠３１と、左右２枚の新設障子３２とを備え、新設開口枠３１に対して２枚の新設障子３２を左右方向にスライド移動させて開閉する、いわゆる「引き違い窓」と称されるものである。
【００３１】
新設開口枠３１は、新設上枠３１ａ、新設下枠３１ｂ及び左右一対の新設縦枠３１ｃを四周枠組みすることによって横長に構成した矩形状を成すものである。
【００３２】
２枚の新設障子３２は、それぞれ新設上框３２ａ、新設下框３２ｂ及び左右一対の新設縦框３２ｃ，３２ｄを四周框組みし、かつこれら新設上框３２ａ、新設下框３２ｂ及び新設縦框３２ｃ，３２ｄの間にガラス板等の新設パネル材３２ｅを配設することにより構成したものである。これら新設障子３２は、新設開口枠３１の内部に左右方向に沿ってスライド移動可能に配設してある。これらの新設障子３２は、互いに同一の大きさを有し、かつそれぞれの一方の新設縦框（以下、新設召合せ框ともいう）３２ｄを重ね合わせて左右に並設した場合に新設開口枠３１の開口を閉塞することのできる大きさに構成してある。尚、図７中の符号３５は、室内側の新設障子３２の新設召合せ框３２ｄに設けられた新設クレセント錠である。
【００３３】
このような新設窓３０の取付可否を判別するための窓取付用ゲージ２０を構成するゲージ本体２１は、水平部（基部）２１ａと、右側垂下部（第１垂下部）２１ｂ、左側垂下部（第２垂下部）２１ｃとを備えて構成してある。
【００３４】
水平部２１ａは、水平方向に延在する平板状を成しており、左右方向、すなわち既設窓１０の見付け方向が長手方向となる矩形状部位である。この水平部２１ａの室内外方向の幅、すなわち既設窓１０の見込み方向と平行な方向の幅は、新設窓３０の見込み方向の寸法と同程度の大きさを有している。
【００３５】
右側垂下部２１ｂは、水平部２１ａの右側端部より下方に向けて延在する矩形状部位であり、水平部２１ａと直交する方向に延在するものである。この右側垂下部２１ｂの室内外方向の幅、すなわち既設窓１０の見込み方向と平行な方向の幅は、水平部２１ａと同様に新設窓３０の見込み方向の寸法と同程度の大きさを有している。また、この右側垂下部２１ｂの延在長さであるが、上端部分が既設窓１０を構成する障子１２のパネル材１２ｅを臨むことが可能な大きさにしてある。
【００３６】
このような右側垂下部２１ｂの上端部分の左面（内面）には、長尺平板状の測定部材２３が設けてある。測定部材２３は、右側面に室外側端部を零とする目盛り２３ａが設けられており、右側垂下部２１ｂの上端部分の左面に設けられたフック部２４に係合した状態で、室内外方向に沿って進退移動可能に設けられている。この測定部材２３は、既設窓１０の障子１２を構成するパネル材１２ｅとの離間距離を測定するものである。
【００３７】
左側垂下部２１ｃは、水平部２１ａの左側端部より下方に向けて延在する矩形状部位であり、水平部２１ａと直交する方向に延在するものである。この左側垂下部２１ｃの室内外方向の幅、すなわち既設窓１０の見込み方向と平行な方向の幅は、水平部２１ａと同様に新設窓３０の見込み方向の寸法と同程度の大きさを有している。また、この左側垂下部２１ｃの延在長さであるが、上端部分が既設窓１０を構成する障子１２のパネル材１２ｅを臨むことが可能な大きさにしてある。
【００３８】
判別用断面図２２は、判別用横断面図２２ａと、第１判別用縦断面図２２ｂと、第２判別用縦断面図２２ｃとを備えて構成してある。
【００３９】
判別用横断面図２２ａは、取付可否の判別対象となる新設窓３０の横断面図の一部であって、より詳細には、新設クレセント錠３５を含む新設窓３０の横断面図の一部であって該新設クレセント錠３５を通過する見込み方向の寸法を構成する要素が原寸大で描かれたものである。このような判別用横断面図２２ａは、ゲージ本体２１の水平部２１ａの上面２１ａ１と同程度の大きさを有している。尚、判別用横断面図２２ａにおいては、室外側の新設障子３２が開いた状態を示している。
【００４０】
第１判別用縦断面図２２ｂは、取付可否の判別対象となる新設窓３０の縦断面図の一部であって、より詳細には、新設下枠３１ｂを含む新設窓３０の縦断面図の一部であって該新設下枠３１ｂを通過する見込み方向の寸法を構成する要素が原寸大で描かれたものである。このような第１判別用縦断面図２２ｂは、ゲージ本体２１の右側垂下部２１ｂの右面（外面）２１ｂ１と同程度の大きさを有している。
【００４１】
第２判別用縦断面図２２ｃは、取付可否の判別対象となる新設窓３０の縦断面図の一部であって、新設クレセント錠３５を通過する見込み方向の寸法を構成する要素が原寸大で描かれたものである。このような第２判別用縦断面図２２ｃは、ゲージ本体２１の左側垂下部２１ｃの左面（外面）２１ｃ１と同程度の大きさを有している。
【００４２】
これら判別用横断面図２２ａ、第１判別用縦断面図２２ｂ及び第２判別用縦断面図２２ｃを備える判別用断面図２２は、例えばパンフレット等の冊子に綴じられた１枚の紙において、図８の（ａ）に示すように、判別用横断面図２２ａの一端部に連続するよう折り線２２ｄを介して第１判別用縦断面図２２ｂが描かれ、かつ判別用横断面図２２ａの他端部に連続するよう折り線２２ｄを介して第２判別用縦断面図２２ｃが描かれたものである。
【００４３】
そして、図８の（ｂ）に示すように、判別用断面図２２を折り線２２ｄが山となるようにして折り曲げ、水平部２１ａの上面２１ａ１に判別用横断面図２２ａをのり等の接着部材を用いて貼付するとともに、右側垂下部２１ｂの右面２１ｂ１に第１判別用縦断面図２２ｂをのり等の接着部材を用いて貼付し、さらに左側垂下部２１ｃの左面２１ｃ１に第２判別用縦断面図２２ｃをのり等の接着部材を用いて貼付することで、判別用断面図２２をゲージ本体２１に設けてある。
【００４４】
これにより、水平部２１ａの上面２１ａ１には判別用横断面図２２ａが設けてあり、右側垂下部２１ｂの右面２１ｂ１には第１判別用縦断面図２２ｂが設けてあり、左側垂下部２１ｃの左面２１ｃ１には第２判別用縦断面図２２ｃが設けてあり、ゲージ本体２１及び判別用断面図２２を備える窓取付用ゲージ２０は、ゲージ本体２１の水平部２１ａ、右側垂下部２１ｂ及び左側垂下部２１ｃを含む縦断面形状がコ字状を成している。
【００４５】
以上のような構成を有する窓取付用ゲージ２０を、図９の（ａ）及び（ｂ）に示すように、下側の額縁部材１４における既設窓１０の召合せ框１２ｄの室内側に載置することで新設窓３０の取付可否を次のように判別することができる。
【００４６】
すなわち、水平部２１ａの上面２１ａ１に設けられた判別用横断面図２２ａには、新設クレセント錠３５を含む新設窓３０の横断面図の一部であって該新設クレセント錠３５を通過する見込み方向の寸法を構成する要素が原寸大で描かれているので、既設窓１０の召合せ框１２ｄに設けられたクレセント錠１５を回動させることで該クレセント錠１５との干渉の有無を目視にて確認することができる。
【００４７】
そして、右側垂下部２１ｂの右面２１ｂ１に設けられた第１判別用縦断面図２２ｂには、新設下枠３１ｂを含む新設窓３０の縦断面図の一部であって該新設下枠３１ｂを通過する見込み方向の寸法を構成する要素が原寸大で描かれているので、窓取付用ゲージ２０を既設窓１０のクレセント錠１５と干渉しない位置に載置させる場合に、額縁部材１４が新設窓３０の取付に必要な寸法を有しているかを目視にて確認することができる。また、左側垂下部２１ｃの左面２１ｃ１に設けられた第２判別用縦断面図２２ｃには、新設窓３０の縦断面図の一部であって新設クレセント錠３５を通過する見込み方向の寸法を構成する要素が原寸大で描かれているので、新設クレセント錠３５とクレセント錠１５との干渉の有無を目視にて確認することができる。
【００４８】
さらに、測定部材２３を既設窓１０に対して進出移動させて該既設窓１０のパネル材１２ｅとの離間距離を目視にて測定することができ、これにより新設窓３０を取り付けた場合における新設パネル材３２ｅと既設窓１０のパネル材１２ｅとの間の空気層の大きさを確認することができる。
【００４９】
このようなクレセント錠１５の干渉の有無の確認、額縁部材１４が必要寸法を有しているかの確認、並びに両パネル材１２ｅ間の空気層の大きさの確認を行った結果、新設窓３０の取付条件を具備していれば新設窓３０の取付可能と判別することができる。そして、取付可能の判別を行うことにより、図７や図１０に示すように、額縁部材１４に新設窓３０を良好に取り付けることができる。
【００５０】
一方、窓取付用ゲージ２０を既設窓１０のクレセント錠１５と干渉しない位置に載置させる場合に該窓取付用ゲージ２０が額縁部材１４より室内側に所定量以上突出してしまう等により額縁部材１４が新設窓３０の取付に必要な寸法を有していなければ、新設窓３０の取付不可と判別することができる。
【００５１】
以上説明したように本実施の形態である窓取付用ゲージ２０によれば、既設窓１０の室内側における下側の額縁部材１４の所定個所に載置した場合に、判別用横断面図２２ａ及び第２判別用縦断面図２２ｃを用いて既設窓１０のクレセント錠１５との干渉の有無を目視にて確認することができ、第１判別用縦断面図２２ｂを用いて該額縁部材１４が必要寸法を有しているかを目視にて確認することができ、さらに測定部材２３を用いて既設窓１０のパネル材１２ｅとの間の空気層の大きさを測定することができるので、従来のように平板状のゲージプレートを用いたり、種々の寸法を測定して条件式に当てはめたりするのに比して判別作業の短縮化を図ることができるとともに作業者の測定技術の熟練度を問わないものとすることができる。従って、既設窓１０の室内側において新設窓３０の取付可否を容易に判別することができる。
【００５２】
以上、本発明の好適な実施の形態について説明したが、本発明はこれに限定されるものではなく、種々の変更を行うことができる。
【００５３】
上述した実施の形態においては、ゲージ本体２１の水平部２１ａ、右側垂下部２１ｂ及び左側垂下部２１ｃを含む縦断面形状がコ字状を成す窓取付用ゲージ２０について説明しているが、本発明においては、縦断面形状がコ字状である必要はなく、判別用横断面図が上面に設けられた基部と、該基部に連続するよう上下方向に沿って延在し、かつ一方の側面に判別用縦断面図が設けられた上下延在部とが連続して形成されていれば、縦断面形状がＬ字状、Ｔ字状、Ｉ字状、あるいはＺ字状であっても構わない。
【００５４】
また、上述した実施の形態においては、水平部２１ａは、水平方向に延在する平板状を成しているが、本発明においては、基部は、上面に判別用横断面図が設けられた平板状であれば、必ずしも水平方向に延在していなくても良い。
【００５５】
また、上述した実施の形態においては、ゲージ本体２１の水平部２１ａ、右側垂下部２１ｂ及び左側垂下部２１ｃは、それぞれ室内外方向の幅が新設窓３０の見込み方向の寸法と同程度の大きさを有するものであったが、本発明においては、基部及び上下延在部の室内外方向の幅は、新設窓の見込み方向の寸法以上の大きさを有していればよい。
【００５６】
また、上述した実施の形態においては、ゲージ本体２１の左側垂下部２１ｃの左面２１ｃ１には、第２判別用縦断面図２２ｃが設けてあるが、本発明においては、第２判別用縦断面図２２ｃは設けられていなくても良い。
【００５７】
また、上述した実施の形態においては、判別用断面図２２は、例えばパンフレット等の冊子に綴じられた１枚の紙に描かれたものであるが、本発明においては、判別用横断面図及び判別用縦断面図は、基部及び上下延在部に直接描かれたものであっても構わない。
【００５８】
また、上述した実施の形態においては、測定部材２３の右側面に目盛り２３ａが設けれているが、本発明においては、測定部材に目盛りが設けられていなくても良い。
【符号の説明】
【００５９】
１  建物
２  開口
１０  既設窓
１１  開口枠
１１ａ  上枠
１１ｂ  下枠
１１ｃ  縦枠
１１ｄ  網戸レール
１２  障子
１２ａ  上框
１２ｂ  下框
１２ｃ  縦框
１２ｄ  縦框（召合せ框）
１２ｅ  パネル材
１３  網戸
１３ａ  網戸用上框
１３ｂ  網戸用下框
１３ｃ  網戸用縦框
１３ｄ  網
１４  額縁部材
１５  クレセント錠
２０  窓取付用ゲージ
２１  ゲージ本体
２１ａ  水平部
２１ａ１  上面
２１ｂ  右側垂下部（第１垂下部）
２１ｂ１  右面（外面）
２１ｃ  左側垂下部（第２垂下部）
２１ｃ１  左面（外面）
２２  判別用断面図
２２ａ  判別用横断面図
２２ｂ  第１判別用縦断面図
２２ｃ  第２判別用縦断面図
２２ｄ  折り線
２３  測定部材
２３ａ  目盛り
２４  フック部
３０  新設窓
３１  新設開口枠
３１ａ  新設上枠
３１ｂ  新設下枠
３１ｃ  新設縦枠
３２  新設障子
３２ａ  新設上框
３２ｂ  新設下框
３２ｃ  新設縦框
３２ｄ  新設縦框（新設召合せ框）
３２ｅ  新設パネル材
３５  新設クレセント錠
【図１】
0005752080.tif 000002
【図２】
0005752080.tif 000003
【図３】
0005752080.tif 000004
【図４】
0005752080.tif 000005
【図５】
0005752080.tif 000006
【図６】
0005752080.tif 000007
【図７】
0005752080.tif 000008
【図８】
0005752080.tif 000009
【図９】
0005752080.tif 000010
【図１０】
0005752080.tif 000011